(57)【特許請求の範囲】
【請求項１】
アモルファス化合物、結晶性化合物、及び有機顔料を含む相転移インクであって：
アモルファス化合物は、下記式Ｉの酒石酸のエステルからなる群より選択され、
【化１】
0006039488.tif 000019
各Ｒ１、Ｒ２は、独立してアルキル基であり、前記アルキルは、炭素原子を１〜１６個含み、直鎖状でも、分枝鎖状でも環状でもよく、飽和でも不飽和でもよく、置換でも非置換でもよいアルキル基、またはこれらの混合物であってもよく；
結晶性化合物は、下記式（ＶＩＩ）を有するジウレタンを含み；
【化２】
0006039488.tif 000020
式中：Ｑは、アルカンジイルであり；各Ｒ１５及びＲ１６は、独立して、１個以上のアルキルで置換されていてもよいフェニルであり；ｉは、０又は１であり；ｊは、０又は１であり；ｐは、１〜４であり；ｑは、１〜４である。
【請求項２】
染料着色剤を更に含む、請求項１に記載の相転移インク。
【請求項３】
合計結晶化時間が、前記結晶性化合物単独の合計結晶化時間の５倍を超えない、請求項１又は請求項２に記載の相転移インク。
【請求項４】
前記結晶性化合物は、相転移インクの合計重量の６０重量％〜９５重量％の量で存在する、請求項１〜請求項３のいずれか１項に記載の相転移インク。
【請求項５】
前記アモルファス化合物は、相転移インクの合計重量の５重量％〜４０重量％の量で存在する、請求項１〜請求項４のいずれか１項に記載の相転移インク。
【請求項６】
前記アモルファス化合物に対する前記結晶性化合物の重量比は、６５：３５〜９５：５である、請求項１〜請求項５のいずれか１項に記載の相転移インク。
【請求項７】
前記有機顔料は、シアン、マゼンタ、ブルー、イエロー、ブラック、及びこれら混合物からなる群より選択される、請求項１〜請求項６のいずれか１項に記載の相転移インク。
【請求項８】
前記有機顔料は、相転移インクの合計重量の０．１重量％〜１０重量％の量で存在する、請求項１〜請求項７のいずれか１項に記載の相転移インク。
【請求項９】
前記有機顔料は、平均粒径が１０〜２００ｎｍである、請求項１〜請求項８のいずれか１項に記載の相転移インク。
【請求項１０】
１４０℃の温度において粘度が６〜２２ｃｐである、請求項１〜請求項９のいずれか１項に記載の相転移インク。
【請求項１１】
１４０℃の温度において粘度が１５ｃｐよりも小さい、請求項１〜請求項９のいずれか１項に記載の相転移インク。
【請求項１２】
室温において粘度が１０６ｃｐより大きい、請求項１〜請求項１１のいずれか１項に記載の相転移インク。
【請求項１３】
分散剤を更に含む、請求項１〜請求項１２のいずれか１項に記載の相転移インク。
【請求項１４】
アモルファス化合物、結晶性化合物、及び有機顔料を含む相転移インクであって：
アモルファス化合物は、下記式Ｉの酒石酸のエステルからなる群より選択され、
【化３】
0006039488.tif 000021
各Ｒ１、Ｒ２は、独立してアルキル基であり、前記アルキルは、炭素原子を１〜１６個含み、直鎖状でもよく、分枝鎖状でも環状でもよく、飽和でも不飽和でもよく、置換でも非置換でもよいアルキル基であってもよく、またはこれらの混合物であってもよく；
結晶性化合物は、下記式（ＶＩＩ）を有するジウレタンを含み；
【化４】
0006039488.tif 000022
式中：Ｑは、アルカンジイルであり；各Ｒ１５及びＲ１６は、独立して、１個以上のアルキルで置換されていてもよいフェニルであり；ｉは、０又は１であり；ｊは、０又は１であり；ｐは、１〜４であり；ｑは、１〜４であり；及び、
相転移インクの合計結晶化時間は、前記結晶性化合物単独の合計結晶化時間の５倍を超えない、相転移インク。
【発明の詳細な説明】
【技術分野】
【０００１】
本実施形態は、室温で固体であり、高温で溶融し、この状態で溶融インクを基材に塗布することを特徴とする固体インク組成物に関する。これらの固体インク組成物をインクジェット印刷に使用することができる。本実施形態は、アモルファス化合物と、結晶性化合物と、場合により着色剤とを含む新規個体インク組成物、およびこれを製造する方法に関する。相溶性が低いアモルファス化合物と結晶性化合物との組み合わせを含む本発明に記載に特定の配合物は、コーティング紙の上に高品質の画像を形成するか、または印刷する、迅速に結晶化するインク組成物を提供する。
【背景技術】
【０００２】
インクジェット印刷プロセスは、室温で固体であり、高温で液体であるインクを使用してもよい。このようなインクは、固体インク、ホットメルトインク、相転移インクなどと呼ばれることがある。例えば、米国特許第４，４９０，７３１号（参照することで、この開示内容は、全体的に本明細書に組み込まれる）は、紙のような記録媒体に印刷するための固体インクを分注する装置を開示する。ホットメルトインクを使用するピエゾインクジェット印刷プロセスでは、印刷装置中の加熱器によって固体インクを溶融し、従来のピエゾインクジェット印刷の場合と同様の様式で液体として利用する（吐出させる）。印刷記録媒体と接触したら、溶融したインクは迅速に固化し、着色剤が、毛管作用によって記録媒体（例えば、紙）に保持されるのではなく、記録媒体の表面にかなりの量がとどまり、それによって、一般的に液体インクを用いて得られるよりも高い印刷密度を可能にすることができる。したがって、インクジェット印刷における相転移インクの利点は、取扱い中にインクが漏れる可能性がないこと、広範囲にわたる印刷密度および品質、紙のしわまたは歪みが最低限であること、ノズルにふたをしなくても、ノズルが目詰まりする危険性がなく、期間を決めずに印刷しない期間が可能になることである。
【０００３】
一般的に、相転移インク（「ホットメルトインク」または「固体インク」と呼ばれることがある）は、周囲温度で固相であるが、インクジェット印刷デバイスの高温での操作温度では液相で存在する。吐出温度で、液体インクの液滴が印刷デバイスから吐出され、インクの液滴が記録媒体表面と直接的に、または加熱した中間転写ベルトまたはドラムを介して接触すると、インクの液滴は迅速に固化し、あらかじめ定められた模様の固化したインク液滴を生成する。
【０００４】
カラー印刷のための相転移インクは、典型的には、相転移インクと相溶性の着色剤と組み合わせた相転移インク担体組成物を含む。具体的な実施形態では、インク担体組成物と、相溶性の減法混色の着色剤とを合わせることによって、一連のカラー相転移インクを作成することができる。減法混色のカラー相転移インクは、４要素の染料または顔料（つまり、シアン、マゼンタ、イエロー、ブラック）を含んでいてもよいが、インクは、これら４種類の色に限られない。１種類の染料または顔料、または染料または顔料の混合物を用いることによって、これらの減法混色のカラーインクを作成することができる。
【０００５】
相転移インクは、運搬、長期間にわたる保存などの間、室温で固相のままであるため、インクジェット印刷に望ましい。それに加え、液体インクジェットインクからインクが蒸発した結果起こるノズルの目詰まりに関連する問題は、大部分がなくなり、そのため、インクジェット印刷の信頼性が上がる。さらに、インクの液滴を最終的な記録基材（例えば、紙、透明材料など）に直接塗布する相転移インクジェップリンタにおいて、記録媒体と接触すると、液滴はすぐに固化し、その結果、インクが印刷媒体に沿って移動するのが防がれ、ドット品質が向上する。
【０００６】
上の従来の固体インク技術は、一般的に、鮮明な画像をうまく生成し、多孔性の紙に対する吐出部の使用の経済性および基材の自由度を与えるが、このような技術は、コーティング基材にとって満足がいくものではない。したがって、これらの意図する目的のために既知の組成物およびプロセスが適しているが、コーティングした紙基材の上で画像を作成するか、または印刷するさらなる手段が依然として必要である。このように、固体インク組成物の代替となる組成物を見つけ、あらゆる基材の上で優れた画質を顧客に提供する将来的な印刷技術を見つけることが必要である。さらに、製品の印刷のような迅速な印刷環境に適する相転移インク組成物を提供することが必要である。
【０００７】
上述の米国特許および特許明細書は、参照することでそれぞれ本明細書に組み込まれる。さらに、上述の米国特許および特許明細書それぞれの適切な要素およびプロセスの態様を、本開示の実施形態のために選択してもよい。
【発明の概要】
【課題を解決するための手段】
【０００８】
本明細書に示す実施形態によれば、相溶性が制限されたアモルファス材料および結晶性材料と、有機顔料とを含み、コーティング紙基材への印刷のようなインクジェット高速印刷に適した新規固体インク組成物が提供される。特に、相転移インクは、有機顔料またはアモルファス要素および結晶性要素（このアモルファスと結晶性要素は、相溶性が制限されている）のいずれかを含まない同じ組成物よりも、液体状態から迅速に結晶化する。
【０００９】
特に、本実施形態は、少なくとも１つの官能基を有し、少なくとも１つのアモルファス末端基に接続しているアモルファスコア部分を含み、アモルファス末端基が、アルキル基を含み、アルキルが、炭素原子を１〜１６個含む直鎖、分枝鎖または環状の飽和または不飽和、置換または非置換である、アモルファス化合物と、少なくとも１つの官能基を有し、少なくとも１つの結晶性末端基に接続している結晶性コア部分を含み、結晶性末端基が芳香族基を含む、結晶性化合物と、有機顔料と、任意要素の染料着色剤とを含み、アモルファスコア部分の官能基は、どれも結晶性コア部分の任意の官能基と同じではない、相転移インクを提供する。
【００１０】
さらなる実施形態では、式Ｉの酒石酸エステル、
【化１】
0006039488.tif 000002
式ＩＩのクエン酸エステル、
【化２】
0006039488.tif 000003
からなる群から選択されるアモルファス化合物で、Ｒ１、Ｒ２、Ｒ３、Ｒ４、Ｒ５は、それぞれ独立して、炭素原子を１〜１６個含む直鎖、分枝鎖または環状の飽和または不飽和、置換または非置換であるアルキル基、およびこれらの混合物であり、少なくとも１つの官能基を有し、少なくとも１つの結晶性末端基に接続している結晶性コア部分を含み、いずれの官能基も−ＯＨではない結晶性化合物と、有機顔料とを含み、相転移インクの合計結晶化時間が、結晶性化合物単独の合計結晶化時間の５倍を超えない相転移インクが提供される。
【図面の簡単な説明】
【００１１】
【図１】図１は、本実施形態の結晶化オンセットから結晶化終了までのインク基剤中の結晶生成の画像を示すＴＲＯＭプロセスを示す図である。
【図２】図２は、本発明の一実施形態によるＴＲＯＭプロセスのフローチャートである。
【図３】図３は、本実施形態によって作られた着色インクのレオロジーデータを示すグラフである。
【図４】図４は、本実施形態によって作られたインク基剤および着色インクの粘度データを示すグラフである。
【図５Ａ】図５Ａは、本実施形態によって作られたアモルファス化合物の構造を示す図である。
【図５Ｂ】図５Ｂは、本実施形態によって作られた結晶性化合物の構造を示す図である。
【発明を実施するための形態】
【００１２】
本願発明者らは、結晶性要素およびアモルファス要素から作られる組成物の迅速な結晶化が、この組成物に固有の性質ではないことを発見した。結晶性／アモルファス混合物の結晶加速度は、独立して結晶性要素およびアモルファス要素の関数であるだけではなく、もっと重要なことに、結晶性材料とアモルファス材料の対の選択によって影響を受ける。例えば、所与の結晶性要素は、アモルファス要素と混合すると、迅速に結晶化する組成物を与える場合があるが、同じ結晶性要素を、異なるアモルファス要素と混合すると、ゆっくりと結晶化する組成物を得ることができる。結晶性要素とアモルファス要素の対の化学構造の関係によって、与えられる混合物の結晶加速度が制御される。しかし、従来技術では、結晶性要素とアモルファス要素の対をどのように選択し、迅速に結晶化するインクを得るかという方法は記載されていない。迅速に結晶化する結晶性−アモルファスインクを提供するこれらの方法は知られておらず、したがって、このような方法が必要である。
【００１３】
本実施形態は、一般的にそれぞれ６０：４０〜９５：５の重量比の（１）結晶性化合物および（２）アモルファス化合物のブレンドを含む、新しい種類のインクジェット固体インク組成物を提供する。さらに具体的な実施形態では、結晶性化合物とアモルファス化合物の重量比は、６５：３５〜９５：５、または７０：３０〜９０：１０、または７０：３０〜８０：２０である。他の実施形態では、結晶性化合物およびアモルファス化合物を、それぞれ１．５〜２０、または２．０〜１０の重量比でブレンドする。
【００１４】
それぞれの化合物または要素は、固体インクに特殊な性質を付与し、これらのアモルファス化合物と結晶性化合物のブレンドを組み込んで得られたインクは、未コーティング基材およびコーティング基材の上で優れた堅牢性を示す。インク配合物中の結晶性化合物は、冷却すると迅速に結晶化することによって転相する。結晶性化合物は、最終的なインク膜の構造も決め、アモルファス化合物の粘着性を下げることによって、硬いインクを作り出す。アモルファス化合物は、印刷したインクに粘着性に与え、堅牢性を付与する。
【００１５】
結晶性要素とアモルファス要素の相溶性が制限されている組成物を用いることによる迅速に固化するインクが開示されている。これは、相溶性が制限されていることによって、この２つの要素が溶融状態から冷却すると迅速に相分離する傾向があることを意味する。制限された相溶性は、迅速に結晶化する能力を与えるために、結晶性要素とアモルファス要素の選択された対のそれぞれの化学構造中に存在する官能基間の関係に関する一連の設計ルールを満足するように結晶性要素およびアモルファス要素を選択することによって達成される。この設計ルールを以下に記載する。
（１）相転移インク組成物は、アモルファス化合物と結晶性化合物とを含む。
（２）アモルファス化合物は、少なくとも１つの官能基を有し、少なくとも１つのアモルファス末端基に接続しているアモルファスコア部分を含み、アモルファス末端基は、アルキル基を含み、アルキルは、炭素原子を１〜１６個含む直鎖、分枝鎖または環状の飽和または不飽和、置換または非置換である。（図５Ａに示されるようなアモルファス化合物構造を示す図）。
（３）結晶性化合物は、少なくとも１つの官能基を有し、少なくとも１つの結晶性末端基に接続している結晶性コア部分を含み、結晶性末端基は、芳香族基を含む。（図５Ｂに示されるような結晶性化合物の構造を示す図）。
（４）アモルファスコア部分の官能基は、どれも結晶性コア部分の任意の官能基と同じではない。
【００１６】
具体的な実施形態では、アモルファス化合物は、以下の構造を有し、少なくとも１つのアモルファス末端基に接続しているアモルファスコア部分、
【化３】
0006039488.tif 000004
と、少なくとも１つの官能基を有し、少なくとも１つの結晶性末端基に接続している結晶性コア部分を含み、いずれの官能基も−ＯＨではない結晶性化合物とを含む。
【００１７】
本開示において、相溶性が低い選択した結晶性化合物とアモルファス化合物と、有機顔料の組み合わせによって相乗効果を与え、上述の方法よりも迅速に結晶化が達成されることが発見された。例えば、いくつかの実施形態では、相溶性が低い結晶性化合物およびアモルファス化合物または有機顔料のいずれかを単独で用いる場合と比較して、組み合わせて使用すると、結晶化時間がほぼ６５％短くなることがわかった。この２種類の手法の組み合わせを用いることによって、結晶化時間は２５％〜６５％短くなることがわかった。具体的な実施形態では、この組み合わせによって、結晶化時間が、１４秒（相溶性ではない基剤要素）から、両手法を組み合わせて使用した場合には７秒（顔料組み込み）〜５秒まで短くなった。
【００１８】
上によって配合された無色および染料系インクは、両方とも迅速な結晶化を示す。主成分のインク組成物に着色剤（例えば、染料）を加えると、典型的には、インクの結晶化速度が遅くなるため、このような発見は、インクの設計に重要な進歩を示す。
【００１９】
迅速な印刷のために試験インクの適合性を評価するために、結晶性要素を含有する相転移インクの結晶加速度を測定するための定量的な方法を開発した。時間分解光学顕微鏡（ＴＲＯＭ）は、さまざまなサンプル間の比較を与え、その結果、迅速に結晶化するインクの設計に関してなされた進歩をモニタリングする有用なツールである。
【００２０】
ＴＲＯＭは、偏光光学顕微鏡（ＰＯＭ）を用い、結晶の概観および成長を監視する。サンプルを、顕微鏡の交差する偏光板の間に置く。結晶性材料は、複屈折であるため、目に見える。光を透過しないアモルファス材料または液体（例えば、溶融状態のインク）は、ＰＯＭでは黒色に見える。したがって、ＰＯＭは、結晶性要素を見ると、画像のコントラストを与え、溶融状態から設定温度まで冷却すると、結晶性−アモルファスインクの結晶化動力学を追跡することができる。この現象は、食卓塩（ＮａＣｌ）結晶について図１に例示され、非常に明るく見え、周囲は黒色である。偏光光学顕微鏡（ＰＯＭ）によって、結晶性要素を見ると、並外れた画像のコントラストが可能になる。
【００２１】
異なるサンプルおよびさまざまなサンプルの間の比較を可能にするデータを得るために、標準化されたＴＲＯＭ実験条件を設定し、その目標は、実際の印刷プロセスに関連する多くのパラメータとして含む。加熱装置を用いて材料（例えば、インク）を溶融する（２０５）ことによって、インクサンプルを調製する。溶融したインクまたはインク基剤を、厚み０．２ｍｍ〜０．５ｍｍの１６〜２５ｍｍの薄い円形ガラス板で挟む。インク層の厚みを５〜２５μｍに維持し（ガラスファイバースペーサーで制御）、この厚みは、実際に印刷されたインク層に近い。結晶化の測定のために、オフラインのホットプレートによってサンプルを予想吐出温度（粘度１０〜１２ｃｐ）まで加熱し（２０７）、次いで、光学顕微鏡に接続した冷却ステージに移す（２０８）。本発明の一実施形態では、インクサンプルを偏光光学顕微鏡の下に置く（２０９）。冷却ステージは、あらかじめ設定した温度で恒温状態にあり、熱および液体窒素を制御しつつ供給することによって維持される。この実験の設定は、現実の印刷プロセスでインク液滴が上に吐出されると予想されるドラム／紙の温度をモデリングする（本開示で報告する実験の場合、４０℃）。結晶の生成および成長をカメラ２１０で記録する。例えば、サンプルホルダに配置された冷却したインクサンプルについて、ビデオまたは画像を２分間捕捉するように、カメラシステムを設定してもよい。カメラシステムは、結晶化の概観および時間変化を記録し、モニタリングする。カメラシステムは、動画ファイルまたは一連の画像（例えば、捕捉した画像）を作成し、これをコンピュータに移すか、または送信し、次いで、非一時的な記録媒体に格納する。コンピュータのプロセッサによって実行される場合、ＴＲＯＭプロセスソフトウエアは、カメラシステムによって捕捉されたビデオを分析することによって、サンプルの結晶化データの主要なパラメータを抽出する（２１１）。
【００２２】
いくつかの実施形態では、ＴＲＯＭプロセスの主要なプロセスが図２に示され、アモルファス要素および結晶性要素を含有する（染料または顔料を含まない）主要なインク基剤を用いる測定プロセスの主要な工程を強調している。ＰＯＭで見ると、溶融状態であり、ゼロ時に、結晶性−アモルファスインクは、まったく光が通過しないため黒色に見える。サンプルが結晶化するにつれて、結晶領域は明るく見える。ＴＲＯＭによって報告される数は、最初の結晶（結晶化オンセット）から最後の結晶（結晶化終了）までの時間を含む。
【００２３】
ＴＲＯＭプロセスの主要な測定されるパラメータを以下に記載する。
ゼロ時（Ｔ＝０秒）＝溶融サンプルを顕微鏡の下にある冷却ステージに置く。
Ｔオンセット＝最初の結晶が現れた時間。
Ｔ成長＝最初の結晶（Ｔオンセット）から結晶化終了（Ｔ合計）までの結晶成長時間。
Ｔ合計＝Ｔオンセット＋Ｔ成長。
【００２４】
選択したインクについてＴＲＯＭ方法を用いて得られた結晶化時間は、実際の印刷デバイス中でのインク液滴の結晶化時間と思われる時間と同じではないことを理解されたい。プリンタのような実際の印刷デバイスでは、インクは、もっと迅速に固化する。ＴＲＯＭ方法によって測定されるような合計結晶化時間と、プリンタ中のインクの固化時間との間に良好な相関関係があることが決定された。上述の標準化された条件において、ＴＲＯＭ方法によって決定される場合、インクが２０秒以内、１５秒以内、または１０秒以内に固化することも決定され（すなわち、合計結晶化時間＜２０秒、＜１５秒、または＜１０秒）、迅速な印刷、典型的には、１００フィート／分またはそれより速い速度での印刷に適している。したがって、本開示の目的のために、１５秒よりも低い結晶加速度は、迅速な結晶化と考えられる。しかし、５００フィート／分またはそれ以上の程度での非常に高速の印刷は、標準化されたＴＲＯＭ条件で、ＴＲＯＭによって測定された結晶加速度が７秒未満であるインクを必要とする。結晶を含有する配合物と、結晶性−アモルファス混合物の配合物の結晶加速度を明らかに比較するために、結晶性−アモルファス混合物の配合物について、結晶化比（ＣＲ）という用語を以下のように定義する。
ＣＲ＝Ｔ合計（結晶性およびアモルファスの混合物）／Ｔ合計（結晶性）
式中、Ｔ合計（結晶性およびアモルファスの混合物）は、結晶性化合物とアモルファス化合物の混合物を含むサンプルの合計結晶化時間をあらわし、Ｔ合計（結晶性）は、結晶性化合物のみを含有するサンプルの合計結晶化時間をあらわす。
【００２５】
任意の所与の純粋な結晶性材料の結晶化時間（Ｔ合計）は、アモルファス材料を含む同じ結晶性材料の混合物と比較すると短いと予想される。いかなる理論によっても束縛されないが、結晶性−アモルファス混合物中の結晶性要素は、アモルファス分子との相互作用から分離したときにのみ結晶化すると考えられる。その結果、ＣＲの値は、本実施形態で開示されているすべての結晶性−アモルファスインクの１よりも大きいと予想される。
【００２６】
ＣＲの値が大きいことは、結晶性要素単独の場合と比較したとき、ゆっくりと結晶化する混合物であることを示し、一方、値が小さいことは、迅速に結晶化する混合物であることを示す。例えば、結晶性材料単独で３秒で結晶化し（すなわち、Ｔ合計（結晶性）＝３秒）、結晶およびアモルファスの混合物は、同じ実験的なＴＲＯＭ測定条件によって３０秒で結晶化するとき（すなわち、Ｔ合計（結晶性およびアモルファス）＝３０秒）、これにより、この混合物の結晶化比ＣＲ＝３０／３＝１０が得られる。例えば、Ｔ合計（結晶性）＝２０秒であり、Ｔ合計（結晶性およびアモルファス）＝６０秒である場合、これにより、ＣＲ＝６０／２０＝３が得られる。定義されているように、ＣＲは、所与のアモルファスと混合したとき、結晶性要素の結晶化速度に及ぼす影響を計算したものである。
【００２７】
実際に、ＣＲ＜５は、迅速に結晶化する結晶性−アモルファス配合物であることを示し、結晶性要素単独の場合よりも迅速に結晶化する。ＣＲ＞５は、ゆっくりと結晶化する結晶性−アモルファス配合物であることを示し、結晶性要素単独の場合よりもゆっくりと結晶化する。
【００２８】
実際に、本願発明者らは、ＴＲＯＭ試験でＴ合計（結晶性およびアモルファス）が１５秒以下であるインクが、１００フィート／分以上の迅速な印刷に適していることを発見した。言い換えると、この要求事項を満たすインクは、この印刷速度または印刷スピードよりも速い速度で固化する。これは、３秒で結晶化する結晶（すなわちＴ合計（結晶性））の場合、ＣＲ＝５と言い換えられる。
【００２９】
ある実施形態では、相転移インクの合計結晶化時間は、結晶性化合物単独の合計結晶化時間の５倍を超えない。さらなる実施形態では、相転移インクの合計結晶化時間は、結晶性化合物単独の合計結晶化時間の４倍を超えない。なおさらなる実施形態では、相転移インクの合計結晶化時間は、結晶性化合物単独の合計結晶化時間の３倍を超えない。
【００３０】
１つ以上の有機材料を核化剤として組み込んでも、迅速な結晶化を与えることが示された。いかなる理論によっても束縛されないが、有機顔料が結晶性化合物の核化および成長の中心として作用するため、アモルファス化合物からの分離が促進さされると考えられる。相分離が促進されると、結晶化が促進される。このような有機顔料は、一般的に、シアン、マゼンタ、イエロー、ブラックの有機顔料を含んでいてもよい。
【００３１】
さらなる実施形態では、結晶性−アモルファスインク組成物中に有機顔料が含まれると相乗効果が得られる。相溶性の制限と顔料の添加という概念を一緒に組み合わせて本インク組成物を作ることによって、いずれかの概念のみを用いたインク組成物よりも速く結晶化させることが可能なインク組成物が得られる。
【００３２】
いくつかの実施形態では、アモルファス化合物は、式Ｉの酒石酸第１エステルまたは式ＩＩのクエン酸第１エステル、
【化４】
0006039488.tif 000005
【化５】
0006039488.tif 000006
を含み、Ｒ１、Ｒ２、Ｒ３、Ｒ４、Ｒ５は、それぞれ独立してアルキル基であり、アルキルは、炭素原子を１〜１６個含む直鎖、分枝鎖または環状の飽和または不飽和、置換または非置換であってもよい。ある実施形態では、Ｒ１、Ｒ２、Ｒ３、Ｒ４、Ｒ５は、それぞれ独立して、メチル、エチル、ｎ−プロピル、イソプロピル、ｎ−ブチルおよびｔ−ブチルから選択される１個以上のアルキル基で場合により置換されたシクロヘキシル基である。ある実施形態では、Ｒ１、Ｒ２、Ｒ３、Ｒ４、Ｒ５は、それぞれ、２−イソプロピル−５−メチルシクロヘキシルである。ある実施形態では、アモルファス化合物は、式ＩＩのクエン酸エステルである。
【００３３】
酒石酸の骨格は、Ｌ−（＋）−酒石酸、Ｄ−（−）−酒石酸、ＤＬ−酒石酸、またはメソ酒石酸、これらの混合物から選択される。酒石酸のＲ基および立体化学に依存して、エステルは、結晶または安定なアモルファス化合物を生成することができる。具体的な実施形態では、アモルファス化合物は、ジ−Ｌ−メンチル  Ｌ−酒石酸エステル、ジ−ＤＬ−メンチル  Ｌ−酒石酸エステル（ＤＭＴ）、ジ−Ｌ−メンチル  ＤＬ−酒石酸エステル、ジ−ＤＬ−メンチル  ＤＬ−酒石酸エステル、およびこれらの任意の立体異性体およびこれらの混合物からなる群から選択される。
【００３４】
特に、ジ−ＤＬ−メンチル  Ｌ−酒石酸エステル（ＤＭＴ）は、本発明のインクの実施形態においてアモルファス化合物として使用するのに特に適していることがわかった。
【００３５】
インクのアモルファス成分に適したクエン酸エステルは、例えば、米国特許出願第１３／０９５，７９５号に開示されており、参照することによりその全体が本明細書に組み込まれる。この明細書では、アモルファストリ−ＤＬ−メンチルクエン酸エステル（ＴＭＣ）を試験し、コーティング紙の上で堅牢性のある印刷を示した。ＴＭＣは、印刷画像に適切な熱特性およびレオロジー特性を与え、かつ堅牢性を付与する望ましいアモルファス候補物質である。
【００３６】
アモルファス化合物は、酒石酸のエステル化反応によって合成される。
【００３７】
いくつかの実施形態では、アモルファス化合物は、以下の式を有するジウレタン化合物、
【化６】
0006039488.tif 000007
を含んでいてもよく、Ｚは、
【化７】
0006039488.tif 000008
からなる群から選択され、Ｚは、ジウレタンの式の窒素原子のいずれかの側に＊がつけられた結合を介して接続していてもよく、Ｒ６、Ｒ７は、それぞれ、（ｉ）炭素原子を１〜８個含む直鎖または分枝鎖であってもよいアルキル基、または（ｉｉ）アリール基であり、但し、Ｚが−（ＣＨ２）６−である場合、Ｒ６もＲ７もベンジルではない。
【００３８】
Ｒ６、Ｒ７は、メチル、エチル、プロピル、（ｎ−、ｉｓｏ−、ｓｅｃ−およびｔ−）ブチル、（ｎ−、ｉｓｏ−、ｔ−などの）ペンチル、（ｎ−、ｉｓｏ−、ｔ−などの）ヘキシル、（ｎ−、ｉｓｏ−、ｔ−などの）ヘプチル、または（ｎ−、ｉｓｏ−、ｔ−などの）オクチルを含む任意の直鎖または分枝鎖のアルキルであってもよい。
【００３９】
ある実施形態では、Ｒ６、Ｒ７は、独立して、
【化８】
0006039488.tif 000009
からなる群から選択される。
【００４０】
ある実施形態では、ｚは、−（ＣＨ２）６−であり、Ｒ６、Ｒ７は、両方とも、
【化９】
0006039488.tif 000010
である。
【００４１】
これらの材料は、吐出温度付近（≦１４０℃、または１００〜１４０℃、または１０５〜１４０℃）で相対的に低い粘度を示す（＜１０２センチポイズ（ｃｐ）、または１〜１００ｃｐ、または５〜９５ｃｐ）が、室温では非常に高い粘度を示す（＞１０５ｃｐ）。
【００４２】
いくつかの実施形態では、アモルファス化合物を結晶性化合物と一緒に配合し、固体インク組成物を作成する。このインク組成物は、良好なレオロジープロフィールを示す。Ｋ−ｐｒｏｏｆにより、固体インク組成物によってコーティング紙の上に作られた印刷サンプルは、優れた堅牢性を示す。さらに、エステルとして酒石酸を用いると、低コストであり、潜在的に生体由来（「環境に優しい」）供給源から得られるというさらなる利点を有する。
【００４３】
いくつかの実施形態では、酒石酸と少なくとも１つのアルコールのエステル交換反応から合成される新規アモルファス化合物を用い、固体インク組成物が得られる。固体インク組成物は、結晶性化合物および着色剤と組み合わせてアモルファス化合物を含む。本実施形態は、所望なレベルの粘度を維持しつつ、液体状態からの鋭敏な相転移を実現し、硬く、堅牢性の高い印刷画像を得やすくするために、あるバランスのアモルファス化合物と結晶性化合物を含む。このインクで作られる印刷物は、市販のインクと比べ、例えば、引っ掻きに対する堅牢性が良好という利点を示した。したがって、固体インクのためのアモルファス化合物を与える本発明の酒石酸エステルは、望ましいレオロジープロフィールを有し、インクジェット印刷のための多くの要求事項を満たす堅牢性の高いインクを作ることが発見された。
【００４４】
いくつかの実施形態では、アモルファス材料は、インク組成物の合計重量の５重量％〜４０重量％、または５重量％〜３５重量％、または１０重量％〜３０重量％の量で存在する。
【００４５】
いくつかの実施形態では、結晶性化合物は、少なくとも１つの官能基を有し、少なくとも１つの結晶性末端基に接続している結晶性コア部分を含み、結晶性末端基が芳香族基を含み、アモルファスコア部分の官能基は、どれも結晶性コア部分の任意の官能基と同じではない結晶性化合物である。
【００４６】
特に、結晶性材料は、鋭敏な結晶化、１４０℃では比較的低い粘度（≦１０１センチポイズ（ｃｐ）、または０．５〜２０ｃｐ、または１〜１５ｃｐ）を示すが、室温では非常に高い粘度（＞１０６ｃｐ）を示す。これらの材料は、融点（Ｔｍｅｌｔ）が１５０℃未満、または６５〜１５０℃、または６６〜１４５℃であり、結晶化温度（Ｔｃｒｙｓ）が６０℃より大きく、または６０〜１４０℃、または６５〜１２０℃である。ＴｍｅｌｔとＴｃｒｙｓのΔＴは、５５℃未満である。
【００４７】
いくつかの実施形態では、結晶性材料は、インク組成物の合計重量の６０重量％〜９５重量％、または６５重量％〜９５重量％、または７０重量％〜９０重量％の量で存在する。
【００４８】
結晶性要素は、アミド、芳香族エステル、直鎖ジエステル、ウレタン、スルホン、またはこれらの混合物を含んでいてもよい。
【００４９】
適切な結晶性要素としては、以下の構造を含む材料、
【化１０】
0006039488.tif 000011
が挙げられ、Ｒ８とＲ９は、同じであってもよく、異なっていてもよく、Ｒ８、Ｒ９は、それぞれ独立して、（ｉ）直鎖または分枝鎖、環状または非環状、置換または非置換、飽和または不飽和のアルキル基であってもよく、場合により、アルキル基の中にヘテロ原子が存在していてもよく、いくつかの実施形態では、炭素原子を１〜４０個、１〜２０個、または１〜１０個含むアルキル基、（ｉｉ）置換または非置換のアリールアルキル基であってもよく、アリールアルキル基のアルキル部分は、直鎖または分枝鎖、環状または非環状、置換または非置換、飽和または不飽和であってもよく、場合により、アリールアルキル基のアリール部分またはアルキル部分のいずれかにヘテロ原子が存在していてもよく、いくつかの実施形態では、炭素原子を４〜４０個、７〜２０個、または７〜１２個含むアリールアルキル基、および（ｉｉｉ）置換または非置換の芳香族基であってもよく、置換基は、直鎖、分枝鎖、環状または非環状のアルキル基であってもよく、場合により、芳香族基にヘテロ原子が存在していてもよく、炭素原子を３〜４０個、６〜２０個、または６〜１０個含む芳香族基からなる群から選択される。
【００５０】
適切な結晶性要素としては、以下の構造を含む材料、
【化１１】
0006039488.tif 000012
Ｒ１０とＲ１１は、同じであってもよく、異なっていてもよく、Ｒ１０、Ｒ１１は、それぞれ独立して、（ｉ）直鎖または分枝鎖、環状または非環状、置換または非置換、飽和または不飽和のアルキル基であってもよく、場合により、アルキル基の中にヘテロ原子が存在していてもよく、いくつかの実施形態では、炭素原子を１〜４０個、１〜２０個、または１〜１０個含むアルキル基、（ｉｉ）置換または非置換のアリールアルキル基であってもよく、アリールアルキル基のアルキル部分は、直鎖または分枝鎖、環状または非環状、置換または非置換、飽和または不飽和であってもよく、場合により、アリールアルキル基のアリール部分またはアルキル部分のいずれかにヘテロ原子が存在していてもよく、いくつかの実施形態では、炭素原子を４〜４０個、７〜２０個、または７〜１２個含むアリールアルキル基、および（ｉｉｉ）置換または非置換の芳香族基であってもよく、置換基は、直鎖、分枝鎖、環状または非環状のアルキル基であってもよく、場合により、芳香族基にヘテロ原子が存在していてもよく、炭素原子を３〜４０個、６〜２０個、または６〜１０個含む芳香族基からなる群から選択されるが、この数は、これらの範囲から外れていてもよい、およびこれらの混合物が挙げられ、但し、Ｒ１０およびＲ１１のうち、少なくとも１つは芳香族基であり、ｐは、０または１である。
【００５１】
結晶性芳香族エーテルの非限定的な例としては、
【化１２】
0006039488.tif 000013
およびこれらの混合物が挙げられる。
【００５２】
適切な結晶性要素としては、以下の構造を有する脂肪族直鎖二酸のエステルを含む材料、
【化１３】
0006039488.tif 000014
が挙げられ、Ｒ１２は、置換または非置換のアルキル鎖であってもよく、−（ＣＨ２）１−から−（ＣＨ２）１２−からなる群から選択され、Ｒ１３、Ｒ１４は、それぞれ互いに独立して、置換または非置換の芳香族またはヘテロ芳香族基からなる群から選択され、置換基はアルキル基を含み、アルキル部分が、直鎖、分枝鎖または環状であってもよい。
【００５３】
適切な結晶性要素としては、以下の構造を有するジウレタンを含む材料、
【化１４】
0006039488.tif 000015
が挙げられ、Ｑは、アルカンジイルであり、Ｒ１５、Ｒ１６は、それぞれ独立して、１個以上のアルキルで場合により置換されたフェニルまたはシクロヘキシルであり、ｉは、０または１であり、ｊは、０または１であり、ｐは、１〜４であり、ｑは、１〜４である。このような実施形態のうち、特定のものでは、Ｒ１５およびＲ１６は、それぞれ、独立して、１個以上のメチルまたはエチルで場合により置換されたフェニルまたはシクロヘキシルである。このような実施形態のうち、特定のものでは、Ｒ１５およびＲ１６は、フェニルである。ある実施形態では、Ｑは、−（ＣＨ２）ｎ−であり、ｎは、４〜８である。このような実施形態のうち、特定のものでは、ｎは６である。ある実施形態では、Ｒ１５およびａＲ１６は、それぞれ独立して、ベンジル、２−フェニルエチル、２−フェノキシエチル、Ｃ６Ｈ５（ＣＨ２）４−、シクロヘキシル、２−メチルシクロヘキシル、３−フェニルプロパニル、３−メチルシクロヘキシル、４−メチルシクロヘキシル、シクロヘキシルメチル、２−メチルシクロヘキシルメチル、３−メチルシクロヘキシルメチル、４−メチルシクロヘキシルメチル、４−エチルシクロヘキサニルから選択される。
【００５４】
適切な結晶性要素としては、以下の構造を有するスルホン化合物、
【化１５】
0006039488.tif 000016
であって、Ｒ１７とＲ１８は、同じであってもよく、異なっていてもよく、Ｒ１７およびＲ１８は、それぞれ互いに独立して、（ｉ）直鎖または分枝鎖、環状または非環状、置換または非置換、飽和または不飽和のアルキル基であってもよく、場合により、アルキル基の中にヘテロ原子が存在していてもよく、いくつかの実施形態では、炭素原子を１〜４０個、１〜２０個、または１〜１０個含むが、この数は、これらの範囲から外れていてもよい、アルキル基、（ｉｉ）置換または非置換のアリールアルキル基であってもよく、アリールアルキル基のアルキル部分は、直鎖または分枝鎖、環状または非環状、置換または非置換、飽和または不飽和であってもよく、場合により、アリールアルキル基のアリール部分またはアルキル部分のいずれかにヘテロ原子が存在していてもよく、いくつかの実施形態では、炭素原子を４〜４０個、７〜２０個、または７〜１２個含むが、この数は、これらの範囲から外れていてもよい、アリールアルキル基、および（ｉｉｉ）置換または非置換の芳香族基であってもよく、置換基は、直鎖、分枝鎖、環状または非環状のアルキル基であってもよく、場合により、芳香族基にヘテロ原子が存在していてもよく、炭素原子を３〜４０個、６〜２０個、または６〜１０個含むが、この数は、これらの範囲から外れていてもよい、芳香族基からなる群から選択され、およびこれらの混合物が挙げられる。
【００５５】
ある実施形態では、Ｒ１７およびＲ１８は、それぞれ独立して、１個以上のハロ基、アミノ基、ヒドロキシ基またはシアノ基で場合により置換されたアルキルまたはアリールであるか、または、Ｒ１７およびＲ１８と、これらが接続しているＳ原子とを合わせてヘテロ環を形成する。このような実施形態のうち、特定のものでは、Ｒ１７およびＲ１８は、それぞれ独立して、場合により置換されたアルキル、例えば、メチル、エチル、イソプロピル、ｎ−ブチルまたはｔ−ブチルである。このような実施形態のうち、特定のものでは、Ｒ１７およびＲ１８は、それぞれ独立して、場合により置換されたアリール、例えば、フェニルまたはベンジルである。ある実施形態では、Ｒ１７およびＲ１８は、それぞれ独立して、１個以上のアミノ、クロロ、フルオロ、ヒドロキシ、シアノまたはこれらの組み合わせで置換される。アリール基の置換基は、フェニル基のオルト位、メタ位またはパラ位に作られてもよく、これらの組み合わせの位置に作られてもよい。ある実施形態では、Ｒ１７およびＲ１８は、それぞれ独立して、２−ヒドロキシエチルまたはシアノメチルである。
【００５６】
ある実施形態では、結晶性要素は、ジフェニルスルホン、ジメチルスルホン、ビス（４−ヒドロキシフェニル）スルホン、ビス（４−アミノフェニル）スルホン、ビス（３−アミノフェニル）スルホン、ビス（４−クロロフェニル）スルホン、ビス（４−フルオロフェニル）スルホン、２−ヒドロキシフェニル−４−ヒドロキシフェニルスルホン、フェニル−４−クロロフェニルスルホン、フェニル−２−アミノフェニルスルホン、ビス（３−アミノ−４−ヒドロキシフェニル）スルホン、ジベンジルスルホン、メチルエチルスルホン、ジエチルスルホン、メチルイソプロピルスルホン、エチルイソプロピルスルホン、ジ−ｎ−ブチルスルホン、ジビニルスルホン、メチル−２−ヒドロキシメチルスルホン、メチルクロロメチルスルホン、スルホラン、３−スルホランおよびこれらの混合物を含んでいてもよい。
【００５７】
本明細書で使用する場合、「アルキル」との用語は、脂肪族炭化水素基を指す。アルキル部分は、「飽和アルキル」基であってもよく、飽和アルキル基とは、アルケン部分またはアルキン部分を含まないことを意味する。また、アルキル部分は、「不飽和アルキル」部分であってもよく、不飽和アルキル部分とは、少なくとも１つのアルケン部分またはアルキン部分を含むことを意味する。「アルケン」部分とは、少なくとも２個の炭素原子と、少なくとも１個の炭素−炭素二重結合からなる基を指し、「アルキン」部分とは、少なくとも２個の炭素原子と、少なくとも１個の炭素−炭素三重結合からなる基を指す。アルキル部分は、飽和または不飽和のいずれであっても、分枝鎖、直鎖または環状であってもよい。
【００５８】
アルキル基は、炭素原子を１〜４０個含んでいてもよい（本明細書でこうあらわされる場合はいつでも、「１〜４０」のような数値範囲は、与えられている範囲に中にあるそれぞれの整数を指す。例えば、「炭素原子を１〜４０個」は、そのアルキル基が、炭素原子１個、２個、３個などから、最大４０個の炭素原子からなっていてもよいことを意味するが、この定義は、数値範囲が指定されていない「アルキル」という用語の場合も包含する）。また、アルキル基は、炭素原子を１〜１０個含む中鎖アルキルであってもよい。また、アルキル基は、炭素原子を１〜４個含む低級アルキルであってもよい。本発明の化合物のアルキル基は、「Ｃ１〜Ｃ５アルキル」または同様の記号表示によって指定されていてもよい。単なる例として、「Ｃ１〜Ｃ４アルキル」は、アルキル鎖に炭素原子が１〜４個存在することを示し、すなわち、アルキル鎖は、メチル、エチル、プロピル、ｉｓｏ−プロピル、ｎ−ブチル、ｉｓｏ−ブチル、ｓｅｃ−ブチル、ｔ−ブチルからなる群から選択される。
【００５９】
アルキル基は、置換または非置換であってもよい。置換されている場合、水素以外の任意の基が置換基であってもよい。置換されている場合、置換基は、個々に独立して、以下の非限定的な例示リストから選択される１つ以上の基である。アルキル、シクロアルキル、ヒドロキシ、アルコキシ、シアノ、ハロ、アミノ（一置換アミノ基または二置換アミノ基を含む）。典型的なアルキル基としては、いかなる様式にも限定されないが、メチル、エチル、プロピル、イソプロピル、ブチル、イソブチル、第三級ブチル、ペンチル、ヘキシル、エテニル、プロペニル、ブテニル、シクロプロピル、シクロブチル、シクロペンチル、シクロヘキシルなどが挙げられる。それぞれの置換基がさらに置換されていてもよい。
【００６０】
「アリール」との用語は、本明細書で使用する場合、単独または組み合わせて、１個、２個または３個の環を含み、この環が側鎖の様式で一緒に接続していてもよく、または縮合していてもよい炭素環芳香族系を意味する。「アリール」との用語は、ベンジル、フェニル、ナフチル、アントラセニル、ビフェニルのような芳香族基を包含する。
【００６１】
「ハロ」または「ハロゲン」との用語は、フルオロ、クロロ、ブロモまたはヨードを意味する。
【００６２】
いくつかの実施形態では、結晶性材料は、インク組成物の合計重量の６０重量％〜９５重量％、または６５重量％〜９５重量％、または７０重量％〜９０重量％の量で存在する。
【００６３】
この実施形態では、固体インク組成物は、着色剤と組み合わせて、結晶性材料およびアモルファス材料も含んでいてもよい。この実施形態は、所望なレベルの粘度を維持しつつ、液体状態からの鋭敏な相転移を実現し、硬く、堅牢性の高い印刷画像を得やすくするために、あるバランスのアモルファス化合物と結晶性化合物を含む。このインクで作られる印刷物は、市販のインクと比べ、例えば、引っ掻きに対する堅牢性が良好という利点を示した。したがって、あるバランスのアモルファス化合物と結晶性化合物を含んで得られたインク組成物は、良好なレオロジープロフィールを示し、インクジェット印刷のための多くの要求事項を満たす。
【００６４】
この実施形態のインク組成物は、有機顔料を含む。有機顔料は、転送インクに適した着色剤でもあり、Ｃｏｌｏｒ  Ｉｎｄｅｘ  ｐｕｂｌｉｃａｔｉｏｎ  ｂｙ  ｔｈｅ  Ｓｏｃｉｅｔｙ  ｏｆ  Ｄｙｅｒｓ  ａｎｄ  Ｃｏｌｏｕｒｉｓｔｓ  ａｎｄ  ｔｈｅ  Ａｍｅｒｉｃａｎ  Ａｓｓｏｃｉａｔｉｏｎ  ｏｆ  Ｔｅｘｔｉｌｅ  Ｃｈｅｍｉｓｔｓ  ａｎｄ  Ｃｏｌｏｒｉｓｔｓに列挙されているものが挙げられる。
【００６５】
一実施形態では、インクは、１種類の有機顔料を含んでいてもよい。別の実施形態では、インクは、少なくとも２種類の異なる有機顔料の混合物を含んでいてもよい。
【００６６】
具体的な実施形態では、顔料は、インク組成物の合計重量の少なくとも０．１重量％〜５０重量％、または少なくとも０．２重量％〜２０重量％、０．５重量％〜１０重量％、１重量％〜８重量％の量で存在する。
【００６７】
典型的には、本開示にしたがって使用するのに適した有機顔料粒子は、平均粒径が１０ｎｍ〜４００ｎｍ、さらに具体的には、粒径が５０〜３００ｎｍ、または８０〜２５０ｎｍである。
【００６８】
いくつかの実施形態では、有機顔料は、シアン顔料、例えば、Ｃｌａｒｉａｎｔ製のシアン顔料Ｈｏｓｔａｐｅｒｍ  Ｂｌｕｅ  Ｂ４Ｇである。他の実施形態では、顔料は、イエロー顔料、例えば、イエロー顔料１５５、イエロー顔料１８０またはイエロー顔料１３９である。
【００６９】
従来の相転移インク染料着色材料と組み合わせて、転相担体組成物を使用してもよい。ポリマー染料を使用することもできる。
【００７０】
さらなる染料着色剤が、相転移インク中に、望ましい色または色相を得るのに望ましい任意の量または有効な量で、例えば、インクの少なくとも０．１重量％〜５０重量％、少なくとも０．２重量％〜２０重量％、少なくとも０．５重量％〜１０重量％の量で存在していてもよい。
【００７１】
インクは、画像が酸化しないように保護するために、場合により酸化防止剤を含んでいてもよく、また、インク容器内で加熱した溶融物として存在している間にインク成分が酸化しないように保護してもよい。酸化防止剤が存在する場合、酸化防止剤は、インク中に望ましい任意の量または有効な量で、例えば、インクの０．２５重量％〜１０重量％、または１重量％〜５重量％の量で存在していてもよい。
【００７２】
インク基剤中の顔料分散物は、分散剤によって安定化されていてもよい。また、顔料を液体媒剤に分散させるために、場合により、１種類の分散剤または分散剤の組み合わせを提供してもよい。典型的には、インク媒剤中で粒子を安定化するために、分散剤を使用してもよい。分散剤は、一般的に、分散剤を顔料粒子に固定する第１の官能基と、インク媒剤と相溶性である第２の官能基とを含む。第１の官能基は、顔料粒子を任意の適切な様式で（例えば、水素結合、化学結合、酸塩基反応、ファンデルワールス相互作用など）顔料分子に適切に固定または吸着することができる。
【００７３】
したがって、分散剤を顔料粒子に固定する適切な第１の官能基の例としては、エステル、アミド、カルボン酸、ヒドロキシル基、酸無水物、ウレタン、尿素、アミン、アミド、塩（例えば、四級アンモニウム塩）などの官能基が挙げられる。第１の官能基は、分散剤を着色剤粒子に固定し、その結果、分散剤は、例えば、顔料粒子に吸着し、接続するか、またはグラフト接合する。同様に、インク媒剤と相溶性である第２の官能基の例としては、アルキル基のような基が挙げられ、直鎖または分枝鎖、飽和または不飽和などであってもよい。
【００７４】
分散剤は、固体インク中に任意の有効な量で、例えば、インクの０．５重量％〜４０重量％、例えば、５重量％〜２５重量％、または８重量％〜１３重量％の量で存在していてもよい。
【００７５】
いくつかの実施形態では、溶融状態で、相転移インクのインク担体は、吐出温度での粘度が１〜２２ｃｐ、または４〜１５ｃｐ、または６〜１２ｃｐであってもよい。吐出温度は、典型的には、１００℃〜１４０℃の範囲に含まれる。いくつかの実施形態では、固体インクは、室温での粘度は１０６ｃｐより大きい。いくつかの実施形態では、固体インクは、ＤＳＣによって１０℃／分の速度で測定した場合、Ｔｍｅｌｔが６５〜１４０℃、または７０〜１４０℃、８０〜１３５℃であり、Ｔｃｒｙｓが４０〜１４０℃、または４５〜３０℃、５０〜１２０℃である。
【００７６】
インク組成物は、任意の望ましい方法または適切な方法で調製することができる。例えば、インク担体のそれぞれの要素を一緒に混合した後、混合物を少なくともその融点まで、例えば、６０℃〜１５０℃、８０℃〜１４５℃、８５℃〜１４０℃まで加熱してもよい。インク成分を加熱する前、またはインク成分を加熱した後に着色剤を加えてもよい。顔料が所定の着色剤である場合、溶融した混合物をアトライタまたはボールミル装置または他の高エネルギー混合装置で研磨し、顔料をインク担体に分散させてもよい。次いで、加熱した混合物を５秒〜３０分間またはそれ以上撹拌し、実質的に均質で均一な溶融物を得た後、インクを周囲温度（典型的には２０℃〜２５℃）まで冷却する。このインクは、周囲温度で固体である。具体的な実施形態では、生成プロセス中に、溶融状態のインクを型に注ぎ、冷却して固化させ、インクスティックを作成する。
【００７７】
直接的に印刷するインクジェットプロセスおよび間接的に（オフセットで）印刷するインクジェット用途のための装置にこのインクを使用してもよい。
【００７８】
任意の適切な基材または記録シートを、普通紙、コーティング紙、透明材料、布地、繊維製品、プラスチック、ポリマー膜、無機記録媒体（例えば、金属および木材など）を含む、プロセスで使用することができる。
【実施例】
【００７９】
（実施例１）
ジ−フェネチル  Ｌ−酒石酸エステル（ＤＰＴ）８０ｇおよびジ−ＤＬ−メンチル  Ｌ−酒石酸エステル（ＤＭＴ）２０ｇを表１に示す比率で用い、インク基剤１を調製した。この混合物を１４０℃で１時間撹拌した後、室温まで冷却した。
【表１】
0006039488.tif 000017
【００８０】
（実施例２）
ジベンジル  ヘキサン−１，６−ジイルジカルバメート（８０ｇ）およびＤＭＴ（２０ｇ）を表１に示す比率で用い、インク基剤２を調製した。この混合物を１４０℃で１時間撹拌した後、室温まで冷却した。インク基剤１とインク基材２の唯一の違いは、結晶性化合物である。
【００８１】
インク基剤２は、インク基剤１の３倍速く結晶化する。この促進は、ジベンジル  ヘキサン−１，６−ジイルジカルバメートとＤＭＴの相溶性が制限されており、溶融した溶液から結晶性材料を迅速に結晶化させることができることに起因する。
【００８２】
ＳＯＬＳＰＥＲＳＥ  ３２０００（０．２ｇ、２．０％）、ＤＰＴ（７．６８ｇ、７６．８％）およびＤＭＴ（１．９２ｇ、１９．２％）を合わせ、１４０℃で３０分間撹拌することによってインクサンプル２を製造した。この溶液にＢ４Ｇ顔料（０．２ｇ、２．０％）を滴下し、混合物を１４０℃で２時間撹拌した後、１３０００ｒｐｍで２０分間均質化した。
【００８３】
ジベンジル  ヘキサン−１，６−ジイルジカルバメート（３．９２ｇ、７８．４％）、ＤＭＴ（０．９８ｇ、１９．６％）およびＳｏｌｖｅｎｔ  Ｂｌｕｅ  １０１（０．１ｇ、２．０％）を合わせ、１４０℃で１時間撹拌することによってインクサンプル４を製造した。
【００８４】
ＳＯＬＳＰＥＲＳＥ  ３２０００（０．２ｇ、２．０％）、ジベンジル  ヘキサン−１，６−ジイルジカルバメート（７．６８ｇ、７６．８％）およびＤＭＴ（１．９２ｇ、１９．２％）を合わせ、１４０℃で３０分間撹拌することによってインクサンプル５を製造した。この溶液にＢ４Ｇ顔料（０．２ｇ、２．０％）を滴下し、混合物を１４０℃で２時間撹拌した後、１３０００ｒｐｍで２０分間均質化した。
【００８５】
表２は、本実施形態の異なるインク配合物に関するＴＲＯＭの結果を示す。
【表２】
0006039488.tif 000018
【００８６】
インクサンプル１および２は、顔料を加えると、結晶化速度を高めることができることを示す。もっとも重要なことに、インクサンプル３および５によって示されるように、制限された相溶性および原料の添加という概念は、相乗的に作用し、相溶性が低い結晶性／アモルファス要素または有機顔料を用いる個々の手法のそれぞれよりも迅速に結晶化するインクを与える。
【００８７】
インクサンプル５のレオロジー分析は、図３に示されるように、このインクが１４０℃でニュートン性挙動を示し、図４に示されるように１２５℃で吐出可能である（すなわち、吐出粘度が約１１ｃｐ）であったことを示した。
【００８８】
次いで、Ｋ−印刷プルーファ（ＲＫ  Ｐｒｉｎｔ  Ｃｏａｔ  Ｉｎｓｔｒｕｍｅｎｔ  Ｌｔｄ．，Ｌｉｔｌｉｎｇｔｏｎ、Ｒｏｙｓｔｏｎ、Ｈｅｒｉｓ、ＳＧ８  ０ＯＺ、Ｕ．Ｋ．によって製造）を用い、Ｘｅｒｏｘ  ｄｉｇｉｔａｌ  Ｃｏｌｏｒ  Ｅｌｉｔｅ  Ｇｌｏｓｓ、１２０ｇｓｍ（ＤＣＥＧ）にインクサンプル５をコーティングし、基材から簡単に外すことができない堅牢性の高い画像を作成した。
【００８９】
先端が鉛直方向から１５°の角度で湾曲した引っ掻き／丸い指状部に５２８ｇの重りをつけ、画像全体にわたって約１３ｍｍ／秒の速度で引きずったとき、目で見て画像からインクははがれていなかった。引っ掻き／丸い先端は、曲率が約１２ｍｍの半径を有する先端を旋盤で丸めた切断辺と類似している。
【図２】
0006039488.tif 000023
【図３】
0006039488.tif 000024
【図４】
0006039488.tif 000025
【図５Ａ】
0006039488.tif 000026
【図５Ｂ】
0006039488.tif 000027
【図１】
0006039488.tif 000028